(57)【特許請求の範囲】
【請求項１】
人体に挿入されて組織を切開するのに用いられる生体検査装置において、
円筒状の外側本体部と、前記本体部の外面に接する組織が前記外側本体部の内側に進入できるように、前記外側本体部の一部分が切開されて形成される外側切開部と、前記外側切開部の一側縁に鋭角に鋭く形成された外側刃部と、人体組織を切断して前記外側本体部が人体内に進入できるように、前記外側本体部の端部分に設けられるカッティングチップとを備える外側部材と、
前記外側部材に挿入される円筒状の内側本体部と、前記内側本体部の一部分が前記内側本体部の長手方向に対して傾斜する方向に延びるように切開されて形成される内側切開部と、前記内側切開部の一側縁に鋭角に鋭く形成された内側刃部とを備える内側部材と、
前記外側切開部を介して入った人体組織を挟んで前記外側刃部に対して前記内側刃部が交差する方向に動くことができるように、前記内側部材を前記外側部材に対して回転させる回転駆動手段とを備えることを特徴とする生体検査装置。
【請求項２】
前記外側刃部は、刃面を有し、前記外側本体部の内面と前記外側刃部の刃面とがなす角度は鋭角に形成され、前記内側刃部は、刃面を有し、前記内側本体部の外面と前記内側刃部の刃面とがなす角度は鋭角に形成されることを特徴とする請求項１に記載の生体検査装置。
【請求項３】
前記外側刃部は、前記内側本体部の長手方向に対して前記内側刃部が傾斜する方向とは反対方向に、前記外側本体部の長手方向に対して傾斜するように延設されることを特徴とする請求項２に記載の生体検査装置。
【請求項４】
前記内側刃部は、前記内側本体部の外面に沿って螺旋状に形成されることを特徴とする請求項２に記載の生体検査装置。
【請求項５】
前記内側部材は、外径が減少するように弾性変形した状態で、前記外側部材に挿入された後に弾性復元され、前記外側部材の内壁に密着するように弾性力を有することを特徴とする請求項１〜３のいずれか１項に記載の生体検査装置。
【請求項６】
前記内側切開部が前記内側本体部の端部分側に開放されるように、前記内側本体部の端部分に前記内側切開部に連結される開放端部が形成されることを特徴とする請求項５に記載の生体検査装置。
【請求項７】
前記内側切開部及び前記内側刃部の各々は、前記内側本体部の外面に沿って螺旋状に形成され、前記螺旋状の内側切開部及び前記螺旋状の内側刃部の各々は、前記内側本体部の外面に沿って３６０°以上に形成されることを特徴とする請求項５に記載の生体検査装置。
【請求項８】
前記内側部材は、その長手方向に圧縮力を受けるように加圧された状態で、前記外側部材に挿入されることを特徴とする請求項１〜３のいずれか１項に記載の生体検査装置。
【請求項９】
前記内側切開部が前記内側本体部の端部分側に開放されるように、前記内側本体部の端部分に前記内側切開部に連結される開放端部が形成されることを特徴とする請求項８に記載の生体検査装置。
【請求項１０】
前記内側切開部及び前記内側刃部の各々は、前記内側本体部の外面に沿って螺旋状に形成され、前記螺旋状の内側切開部及び前記螺旋状の内側刃部の各々は、前記内側本体部の外面に沿って３６０°以上に形成されることを特徴とする請求項８に記載の生体検査装置。
【請求項１１】
前記内側部材に切開された組織を外部に排出できるように、真空吸入装置が連結されることを特徴とする請求項１に記載の生体検査装置。
【請求項１２】
前記回転駆動手段は、前記内側部材を回転させるモータと、前記モータの回転速度及び回転角変位を制御する制御部とからなることを特徴とする請求項１に記載の生体検査装置。
【請求項１３】
前記外側部材に対して長手方向にスライド可能に前記外側部材の外側に被せられる円筒状のカバー部材をさらに備えることを特徴とする請求項１に記載の生体検査装置。
【発明の詳細な説明】
【技術分野】
【０００１】
本発明は、人体の内部組織を切開して検査するのに用いるための生体検査装置に関し、より詳細には、組織を切開する性能を向上させ、施術時に患者の不便さを軽減することができる構造を有する生体検査装置に関する。
【背景技術】
【０００２】
一般的に、生体検査装置は、針状の装置を被検組織部分に挿し込んで組織を切開するのに用いられる。このような生体検査装置は、骨を除く軟組織に用いられて組織を切開することになる。最近では、乳房組織に対して生体検査装置を用いて組織を切開する方式によって組織検査を行うことが多くなった。乳房組織は、柔らかい組織もあるが、繊維組織が多いためにその組織が非常に丈夫であるか固いという特性を有する。したがって、乳房組織に用いられる生体検査装置は、丈夫な組織を効果的に切開可能な優れた切開性能を有することが重要である。
【０００３】
図１及び図２は、ＰＣＴ国際特許公開公報ＷＯ２００４／０７５７１９号に開示された生体検査装置１を示したものである。生体検査装置１は、それぞれ円筒状に形成された外側部材２と内側部材３とを備える。内側部材３は、外側部材２の内側に挿入されている。外側部材２及び内側部材３には、それぞれ切開部４、５が形成されている。外側部材２には、カッティングチップ６が設けられ、組織を切開し進入できるようになっている。図２に示すように、人体の組織は互いに連結されている切開部３、５に挿入され、内側部材３は、外側部材２に対して回転することにより、挿入されている組織を切開する。
【０００４】
このような構造を有する生体検査装置１は、組織を切開する性能が低下するという問題があった。特に、乳房の繊維質のような丈夫な組織を効果的に切開するのに多くの困難があった。つまり、内側部材３の切開部５にのみ刃が形成されており、外側部材２の切開部３には刃が形成されていないため、組織を効果的に切開することができなかった。
【０００５】
図３は、従来の他の生体検査装置の断面図を示したものである。生体検査装置は、外側部材２１０に対して内側部材２２０が回転しながら前後進する構造となっている。外側部材２１０に切開部２１１が形成されており、内側部材２２０の端部分には末端刃部２２１が形成されている。内側部材２２０が回転しながら前進するとき、末端刃部２２１によって外側部材２１０の切開部２１１に進入した組織２０１が切断される。
【０００６】
このような構造を有する従来の生体検査装置の場合、内側部材２２０の外径と外側部材２１０の内径との間隙が小さいと、内側部材２２０と外側部材２１０との間の摩擦が増加し、内側部材２２０を高速で回転させることができなくなる。したがって、内側部材２２０と外側部材２１０との間隙を小さくすることはできるが、回転速度が低下するため、丈夫な組織を効果的に切開することができなくなる。
【０００７】
一方、内側部材２２０の外径と外側部材２１０の内径との間隙を大きくすると、内側部材２２０と外側部材２１０との間の摩擦を低減させ、内側部材２２０を高速で回転させることはできるが、内側部材２２０と外側部材２１０との間隙が増加するため、組織２０１の切断が困難になる。
【０００８】
また、内側部材２２０が所定の速度以上で回転する場合、組織を効果的に切開することができるが、その速度まで内側部材２２０を回転させることが困難である。組織を切開している途中に丈夫な組織に当たり、内側部材２２０に負荷がかかって内側部材２２０の回転速度が減少すると、組織の切開性能が低下する。切開性能を向上させるために、内側部材２２０を高速で回転させると、振動が大きく発生してしまう。これにより、患者が不安感や恐怖感を感じることになるという問題があった。
【先行技術文献】
【特許文献】
【０００９】
【特許文献１】国際特許公開公報ＷＯ２００４／０７５７１９号
【発明の概要】
【００１０】
本発明は、上記の問題を解決するためになされたものであって、その目的は、組織検査時に人体組織を効果的に切開することができる生体検査装置を提供することである。
【００１１】
本発明の他の目的は、振動が少なく発生する構造を有する生体検査装置を提供することである。
【課題を解決するための手段】
【００１２】
本発明のうち第一の発明にかかる生体検査装置は、人体に挿入されて組織を切開するのに用いられる生体検査装置において、円筒状の外側本体部と、本体部の外面に接する組織が外側本体部の内側に進入できるように、外側本体部の一部分が切開されて形成される外側切開部と、外側切開部の一側縁に鋭角に鋭く形成された外側刃部と、人体組織を切断して外側本体部が人体内に進入できるように、外側本体部の端部分に設けられるカッティングチップとを備える外側部材と、外側部材に挿入される円筒状の内側本体部と、内側本体部の一部分が内側本体部の長手方向に対して傾斜する方向に延びるように切開されて形成される内側切開部と、内側切開部の一側縁に鋭角に鋭く形成された内側刃部とを備える内側部材と、外側切開部を介して入った人体組織を挟んで外側刃部に対して内側刃部が交差する方向に動くことができるように、内側部材を外側部材に対して回転させる回転駆動手段とを備えることを特徴とする。
【００１３】
また、第二の発明にかかる生体検査装置は、第一の発明を基礎として、前記外側刃部は、刃面を有し、前記外側本体部の内面と前記外側刃部の刃面とがなす角度は鋭角に形成され、前記内側刃部は、刃面を有し、前記内側本体部の外面と前記内側刃部の刃面とがなす角度は鋭角に形成されることを特徴とする。
【００１４】
また、第三の発明にかかる生体検査装置は、第二の発明を基礎として、前記外側刃部は、前記内側本体部の長手方向に対して前記内側刃部が傾斜する方向とは反対方向に、前記外側本体部の長手方向に対して傾斜するように延設されることを特徴とする。
【００１５】
また、第四の発明にかかる生体検査装置は、第二の発明を基礎として、前記内側刃部は、前記内側本体部の外面に沿って螺旋状に形成されることを特徴とする。
【００１６】
また、第五の発明にかかる生体検査装置は、第一から第三のいずれか一の発明を基礎として、前記内側部材は、外径が減少するように弾性変形した状態で、前記外側部材に挿入された後に弾性復元され、前記外側部材の内壁に密着するように弾性力を有することを特徴とする。
【００１７】
また、第六の発明にかかる生体検査装置は、第五の発明を基礎として、前記内側切開部が前記内側本体部の端部分側に開放されるように、前記内側本体部の端部分に前記内側切開部に連結される開放端部が形成されることを特徴とする。
【００１８】
また、第七の発明にかかる生体検査装置は、第五の発明を基礎として、前記内側切開部及び前記内側刃部の各々は、前記内側本体部の外面に沿って螺旋状に形成され、前記螺旋状の内側切開部及び前記螺旋状の内側刃部の各々は、前記内側本体部の外面に沿って３６０°以上に形成されることを特徴とする。
【００１９】
また、第八の発明にかかる生体検査装置は、第一から第三のいずれか一の発明を基礎として、前記内側部材は、その長手方向に圧縮力を受けるように加圧された状態で、前記外側部材に挿入されることを特徴とする。
【００２０】
また、第九の発明にかかる生体検査装置は、第八の発明を基礎として、前記内側切開部が前記内側本体部の端部分側に開放されるように、前記内側本体部の端部分に前記内側切開部に連結される開放端部が形成されることを特徴とする。
【００２１】
また、第十の発明にかかる生体検査装置は、第八の発明を基礎として、前記内側切開部及び前記内側刃部の各々は、前記内側本体部の外面に沿って螺旋状に形成され、前記螺旋状の内側切開部及び前記螺旋状の内側刃部の各々は、前記内側本体部の外面に沿って３６０°以上に形成されることを特徴とする。
【００２２】
また、第十一の発明にかかる生体検査装置は、第一の発明を基礎として、前記内側部材に切開された組織を外部に排出できるように、真空吸入装置が連結されることを特徴とする。
【００２３】
また、第十二の発明にかかる生体検査装置は、第一の発明を基礎として、前記回転駆動手段は、前記内側部材を回転させるモータと、前記モータの回転速度及び回転角変位を制御する制御部とからなることを特徴とする。
【００２４】
また、第十三の発明にかかる生体検査装置は、第一の発明を基礎として、前記外側部材に対して長手方向にスライド可能に前記外側部材の外側に被せられる円筒状のカバー部材をさらに備えることを特徴とする。
【発明の効果】
【００２５】
このように、本発明にかかる生体検査装置によれば、外側刃部及び内側刃部により、組織検査時に組織を効果的に切開できることにより、オペレータが患者を簡便に施術しながらも、施術時間を短縮することができるという効果がある。
【００２６】
また、本発明にかかる生体検査装置によれば、組織検査時に生体検査装置による振動を低減させることにより、患者にとって不安感や恐怖感を感じることなく、安らかな状態で施術を受けるようにするという効果がある。
【図面の簡単な説明】
【００２７】
【図１】従来の生体検査装置の主部の斜視図である。
【図２】図１に示す生体検査装置の作動状態を説明するための斜視図である。
【図３】従来の他の生体検査装置の断面図である。
【図４】本発明の一実施形態にかかる生体検査装置の断面図である。
【図５】図４に示す生体検査装置の一部分の斜視図である。
【図６】図４に示す生体検査装置の内側部材の斜視図である。
【図７】図５のＶＩ−ＶＩ断面図である。
【図８】図４に示す生体検査装置の作動状態を説明するための図である。
【図９】図４に示す生体検査装置の作動状態を説明するための図である。
【図１０】図４に示す生体検査装置の作動状態を説明するための図である。
【図１１】本発明の他の実施形態にかかる生体検査装置の内側部材の斜視図である。
【図１２】本発明のさらに他の実施形態にかかる生体検査装置の斜視図である。
【図１３】図１２に示す生体検査装置の内側部材の斜視図である。
【符号の説明】
【００２８】
１００  生体検査装置
１０    外側部材
１３    外側刃部
１４    カッティングチップ
２０    内側部材
２３    内側刃部
２５    従動ギヤ
２６    角変位検知部
４０    回転駆動装置
４１    モータ
４２    原動ギヤ
４３    制御部
４４    角変位検知部
５０    真空吸入装置
８２    第１ハウジング
８３    第２ハウジング
【発明を実施するための形態】
【００２９】
以下、本発明にかかる生体検査装置の好ましい実施形態を、添付した図面を参照して説明する。
【００３０】
図４〜図６を参照すると、本発明の一実施形態にかかる生体検査装置１００は、外側部材１０と、内側部材２０と、回転駆動装置４０と、カバー部材３０とを備えてなる。
【００３１】
外側部材１０は、円筒状に形成された外側本体部１１を備える。外側本体部１１には、その一部分が切開されて内側と外側とが互いに通じ合うように、外側切開部１２が形成されている。外側本体部１１が人体内に挿入されたとき、外側本体部１１の外面に接する人体の組織が外側切開部１２を介して外側本体部１１の内側に進入できるようになる。
【００３２】
外側切開部１２の一側縁には、鋭く形成された刃面１３ａを有する外側刃部１３が形成される。図７に示すように、外側本体部１１の内面と刃面１３ａとがなす角度θ１は鋭角に形成される。
【００３３】
外側部材１０の外側本体部１１の端部分には、刃の形状に鋭く形成されたカッティングチップ１４が設けられている。カッティングチップ１４は、外側部材１０に力を加えて人体に挿し込むとき、人体組織を切開しながら、外側部材１０が容易に人体内に挿入されるように補助する。
【００３４】
内側部材２０は、円筒状に形成され、外側部材１０の内側に挿入される内側本体部２１と、内側本体部２１の一部分が切開されて形成される内側切開部２２とを備える。内側切開部２２は、内側本体部２１の長手方向に対して傾斜する方向に延びるように、内側本体部２１を切開して形成される。
【００３５】
内側切開部２２の一側縁には、鋭く形成された刃面２３ａを有する内側刃部２３が形成される。図７に示すように、内側本体部２１の外面と刃面２３ａとがなす角度θ２は鋭角に形成される。また、内側刃部２３は、内側本体部２１の外面に沿って螺旋状（ｈｅｌｉｃａｌ）に形成される。
【００３６】
図４に示すように、内側部材２０は、外側部材１０の内側に挿設される。内側部材２０は、長手方向に圧縮力を受けるように加圧された状態で、外側部材１０に挿入されることが好適である。つまり、内側部材２０の端部分に弾性材質の加圧部材８１を設け、外側部材１０の内部に力を加えて内側部材２０を押し込んだ後に、反対側がハウジングに支持されるようにして内側部材２０を設ける。この方法により、内側部材２０に圧縮力がかかるように設けることができる。この場合、内側部材２０は、その長手方向にかかる圧縮力によって長手方向に圧縮されながら、幅方向には外径が増加するように弾性変形する。内側部材２０の外径が増加すると、内側刃部２３と外側刃部１３とが互いにより密着する効果を得ることができる。
【００３７】
一方、外側刃部１３は、内側本体部２１の長手方向に対して内側刃部２３が傾斜する方向とは反対方向に、外側本体部１１に対して傾斜するように延設される。
【００３８】
図４に示すように、カバー部材３０は、円筒状に形成され、外側部材１０に被せられる。カバー部材３０は、外側部材３０に対して長手方向にスライド可能に設けられる。
【００３９】
回転駆動装置４０は、内側部材２０を外側部材１０に対して回転させるように、内側部材２０に連結されている。回転駆動装置４０は、外側切開部１２を介して入った人体組織を挟んで外側刃部１３に対して内側刃部２３が交差する方向に動くことができるように、内側部材２０を外側部材１０に対して回転させることになる。つまり、回転駆動装置４０は、内側刃部２３が内側部材２０の端部分に向かって螺旋状に進むとき、回転する方向と同じ方向に内側部材２０を外側部材１０に対して回転させることになる。
【００４０】
回転駆動装置４０は、モータ４１と、モータ４１に同軸に連結された原動ギヤ４２とから構成される。原動ギヤ４２は、内側本体部２１の外面に形成されている従動ギヤ２５に噛み合って内側部材２０を回転させる。モータ４１は、サーボモータを用いることが好適である。モータ４１は、制御部４３に連結される。制御部４３は、モータ４１の回転速度及び回転角変位を制御する。また、制御部４１は、内側部材２０及び制御部４３にそれぞれ連結された角変位検知部２６、４４によって内側部材２０の角変位を検知及び制御することができる。制御部４１によって内側切開部２２と外側切開部１２との間の相対的な角度変位を検知及び制御することにより、内側部材２０によって外側切開部１２を開放及び閉鎖することができ、オペレータが外側切開部１２に対する内側切開部２２の相対的な位置を把握することができる。
【００４１】
一方、外側切開部１２の外側刃部１３は、内側本体部２１の長手方向に対して内側刃部２３が傾斜する方向とは反対方向に、外側本体部１１に対して傾斜するように延設されることが好適である。また、図５に示すように、外側刃部１３の端部分は曲線で形成されることが好適である。
【００４２】
真空吸入装置５０は、切開された組織を吸入して外部に排出できるように、内側部材２０に連結されている。真空吸入装置５０には、濾過網（図示せず）が設けられ、血のような液体成分は排出し、切開された組織は濾過網に集まるようにすることができる。
【００４３】
また、外側部材１０の端部分に穴をあけて水を供給すると、切開された組織及び血とともに水が内側部材２０を経て真空吸入装置５０に伝達される性能を向上させることができる。制御部４３は、真空吸入装置５０の作動も制御し、外側部材１０の端部分に水が供給される場合、水の供給も制御するようになる。
【００４４】
図４に示すように、サーボモータ４１、原動ギヤ４２、制御部４３などは第１ハウジング８２に設けられる。外側部材１０、内側部材２０などは第２ハウジング８３に設けられる。第２ハウジング８３に形成された係止突起８３１が第１ハウジング８２に形成された係止孔９２１に係合係止することにより、第１ハウジング８２と第２ハウジング８３とが互いに着脱可能に組み立てられる。この場合、外側部材１０、内側部材２０のように人体に挿入される部分は、必要に応じて容易に交替して使用することができる。
【００４５】
以下、このような構成を有する本発明にかかる生体検査装置の作用について説明する。
【００４６】
図４に示すような、本発明にかかる生体検査装置１００のカッティングチップ１４を人体の組織内に挿し込むと、カッティングチップ１４が人体組織を切開しながら体内に進入する。カバー部材３０を外側部材１０に対して前進させて外側切開部１２を覆った状態で、外側部材１０を挿し込むと、人体の組織が外側切開部１２に引っかからないようにしながら、容易に外側部材１０を挿入することができる。
【００４７】
次に、外側部材１０が人体に挿入された状態で、カバー部材３０のみを外側部材１０に対してスライドして後退させると、外側切開部１２が露出する。真空吸入装置５０を作動させて内側部材２０の内部圧力を下げると、外側切開部１２及び内側切開部２２を介して組織が内側に吸い込まれる。
【００４８】
図８〜図１０に示すように、外側切開部１２と内側切開部２２とが比較的多く重なった状態で、回転駆動装置４０を作動させて内側部材２０を回転させる。内側部材２０が外側部材１０に対して図面に矢印表示された方向に回転しながら、内側刃部２３と外側刃部１３とが互いに噛み合って組織を効果的に切開する。
【００４９】
図６を参照すると、内側刃部２３は、内側部材２０の端部分に向かって反時計方向に回転しながら螺旋を描くようになる。回転駆動装置４０は、内側刃部２３の螺旋方向と同じ方向に、つまり、図６に基づいて、左方向に対して反時計方向に内側刃部２３を回転させる。回転する内側刃部２３と外側刃部１３とは互いに噛み合いながら、組織をより効果的に切開するという利点がある。
【００５０】
一方、回転する内側部材２０を内側切開部２２の螺旋方向に沿って両端でねじると、内側部材２０が全体的に縮みながら外径が減少する。これとは逆に、内側部材２０を内側切開部２２の螺旋方向とは逆方向に両端でねじると、内側部材２０が全体的に広がりながら外径が増加する。本実施形態では、螺旋状に形成された内側切開部２２の特性を利用して内側部材２０を特定の方向にねじると、内側部材２０の外径が増加するという特性を利用する。
【００５１】
前述したように、内側部材２０の端部分に向かって進むとき、内側刃部２３の螺旋が回転する方向と同じ方向に内側部材２０を回転させると、内側刃部２３に人体組織が引っかかり、抵抗力を提供するほど、内側刃部２３が広がりながら、外側部材１０の内面により密着するようになる。この原理を利用して、内側刃部２３と外側刃部１３とを効果的に噛み合うようにすることができる。
【００５２】
また、内側部材２０を回転させると、内側刃部２３が組織を挟んで外側刃部１３に対して垂直に圧迫するのではなく、内側刃部２３が外側刃部１３に対して滑りながら組織を切断するため、組織に剪断力（ｓｈｅａｒ  ｆｏｒｃｅ）を提供して組織を切開する性能が非常に向上する。これは、まるでナイフを押したり引っ張りながら加圧する場合に物をより容易に切断するのと同じ原理により、切開性能を向上させるのである。
【００５３】
図４を参照すると、前述したように、内側部材２０が加圧部材８１によって圧縮されるように設けられると、内側部材２０が長手方向に圧縮されながら、幅方向（半径方向）には外径が増加するように弾性変形する。したがって、内側部材２０の内側刃部２３と外側部材１０の外側刃部１３とが互いにより密着しながら、切断性能を向上させることができる。
【００５４】
図６に示すように、内側刃部２３の刃面２３ａが内側部材２０の外面となす角度θ２が鋭角に形成され、外側刃部１３の刃面１３ａが外側部材１０の内面となす角度θ２が鋭角に形成されているため、内側刃部２３と外側刃部１３とが互いに噛み合いながら、人体組織をより鋭く切開することができる。
【００５５】
本発明にかかる生体検査装置１００は、まるではさみの両刃が互いに交差しながら物を切断するのと同じ方法により、外側刃部１３と内側刃部２３とが交差しながら組織を切断するため、図３を参照して説明した従来の生体検査装置１００に比べて優れた切断性能を有する。したがって、内側部材２０を高速で回転させなくても、組織を容易に切開することができる。これにより、患者が感じる不安感や恐怖感を大幅に軽減することができる。また、内側部材２０を低速で回転させながら、組織を切開する作業が可能なため、オペレータが従来に比べて非常に精巧に組織を切開する施術を行うことができる。
【００５６】
ユーザは、制御部４３及びサーボモータ４１を用いて、外側切開部１２に対する内側切開部２２と内側刃部２３との相対的な位置（角度変位）を把握しながら、施術を行うことができる。この場合、ユーザは、切開しようとする患者の組織の位置を把握しながら、より正確で効果的な方法によって組織を切開することができる。この方法により、切開が必要な組織以外の他の組織を切開する量を大幅に減らすことができる。
【００５７】
組織を切開しながら、真空吸入装置５０を作動させて切開された組織を外部に排出する。このとき、外側部材１０の端部分に水を供給すると、より効果的に組織を外部に排出することができる。真空吸入装置５０に濾過網が設けられた場合は、血や水のような液体を除く組織のみを分離して組織検査に用いることができる。
【００５８】
組織を切開する作業が完了すると、後退していたカバー部材３０を再び外側部材１０に対して前進させ、カバー部材３０によって外側部材１０の外側切開部１２が覆われるようにする。この状態で、外側部材１０を人体の組織から抜き取ると、カバー部材３０により、人体組織が外側部材１０の外側切開部１２に引っかかることなく容易に抜けるようになる。
【００５９】
以上のように、本発明にかかる生体検査装置１００について好ましい例を挙げて説明したが、本発明の生体検査装置１００が先の説明及び図示された実施形態によってのみ限定されるものではない。
【００６０】
例えば、図１１に示すような構造を有する内側部材６０を備える生体検査装置を構成することができる。図１１に示す内側部材６０は、前述した内側部材２０と同様に、内側本体部６１と、内側切開部６２と、内側刃部６３とを備える。内側切開部６２が内側部材６０の端部分に対して閉鎖された状態になるのではなく、端部分まで延びて内側部材６０の端部分に対して開放された状態で形成される。つまり、内側本体部６１の端部分に内側切開部６２に連結される開放端部６４が形成される。
【００６１】
内側部材２０の外径は、外側部材１０の内径よりやや大きく形成した後、内側部材２０の外径が減少するように弾性変形させた状態で、外側部材１０に挿入することもできる。この場合、内側部材２０の弾性復元のために、外側部材１０の内壁に密着するという利点がある。内側切開部２２が開放端部６４によって内側本体部２１の端部分側に開放されるように形成されると、内側部材２０は、外径が減少するように弾性変形することが容易になる。
【００６２】
また、図１２及び図１３に示すような構造を有する内側部材７０を備える生体検査装置を構成することができる。図１３に示す内側部材７０は、前述した内側部材２０と同様に、内側切開部７２と内側刃部７３とを備える。内側切開部７２及び内側刃部７３の各々は、内側部材２０の外面に沿って螺旋状に形成される。螺旋状の内側切開部７２及び螺旋状の内側刃部７３の各々は、内側部材２０の外面に沿って３６０°以上に形成される。図１３に示す内側部材７０は、図６に示す内側部材２０に比べて、螺旋状の内側切開部７２及び螺旋状の内側刃部７３各々の螺旋回転角が３６０°以上である点に特徴がある。
【図１】
0005299652.tif 000002
【図２】
0005299652.tif 000003
【図３】
0005299652.tif 000004
【図４】
0005299652.tif 000005
【図５】
0005299652.tif 000006
【図６】
0005299652.tif 000007
【図７】
0005299652.tif 000008
【図８】
0005299652.tif 000009
【図９】
0005299652.tif 000010
【図１０】
0005299652.tif 000011
【図１１】
0005299652.tif 000012
【図１２】
0005299652.tif 000013
【図１３】
0005299652.tif 000014